(57)【要約】  空気調和機の室内機は、前面側に配設されている表示パネルと、点灯および消灯の制御が可能な発光デバイスを有し、表示パネルの裏面に対向して配設されている表示装置と、表示パネルの面上に形成され、所定の情報を報知するためのアイコンとを備えている。アイコンは、光を透過させないインクで印刷されている遮光層を有しており、発光デバイスの出射光を室内機の内方から照射することにより視認される。
2018016065.tif 000002
【特許請求の範囲】
【請求項１】
室内機の前面側に配設されている表示パネルと、
点灯および消灯の制御が可能な発光デバイスを有し、前記表示パネルの裏面に対向して配設されている表示装置と、
前記表示パネルの面上に形成され、所定の情報を報知するためのアイコンとを備え、
前記アイコンは、光を透過させないインクで前記表示パネルの面上に印刷されている遮光層を有しており、前記発光デバイスの出射光を前記室内機の内方から照射することにより視認される空気調和機の室内機。
【請求項２】
前記遮光層のインクの色は、前記表示パネルの彩色と同色または同系色である請求項１に記載の空気調和機の室内機。
【請求項３】
前記アイコンは、前記表示パネルの彩色と同色または同系色のインクで形成されている着色層を有し、前記着色層は前記遮光層よりも室内側に形成されている請求項１に記載の空気調和機の室内機。
【請求項４】
前記表示パネルは、前記発光デバイスの光軸方向の厚さが他の領域に比べ薄い薄肉部を有しており、前記アイコンは前記薄肉部の面上に形成されている請求項１〜３のいずれか１項に記載の空気調和機の室内機。
【発明の詳細な説明】
【技術分野】
【０００１】
本発明は、空気調和機の室内機の表示部に関するものである。
【背景技術】
【０００２】
従来、空気調和機の室内機の前面パネルには表示部が設けられている。前面パネルは半透明樹脂または透明樹脂を成型したものであり、その裏面には塗装が施されている。特許文献１には、表示部として表示基板に実装された発光デバイスと、表示基板を保持する表示基板固定具と、表示基板固定具に形成された表示窓とを有する構成が記載されている。表示窓は、発光デバイスの点灯時に表現したい形が形成されている。表示窓を前面パネルの裏面に密着固定させ、発光デバイスを点灯させると、発光デバイスから出射された光が表示窓を通過し、さらに前面パネルを通過するため、室内機の外側から、表示窓の形状が発光したように見え、ユーザは視認することができる。また、特許文献１には、表示窓の形状は単純な形状とし、表現したい形状が形成された表示シートを表示窓の前方に貼り付けた構成も記載されている。
【先行技術文献】
【特許文献】
【０００３】
【特許文献１】特開２００９−１０３４２７号公報
【発明の概要】
【発明が解決しようとする課題】
【０００４】
しかしながら、上述のいずれの構成においても、発光デバイスの点灯時に表現したい形状を鮮やかに表示させるためには、塗装が施された前面パネルの裏面に表示窓を密着固定させなければならない。そのため、特許文献１の室内機では、コイルスプリングで表示基板固定具を前面パネル側に付勢させている。また、コイルスプリングの付勢力が不十分であったり、表示基板固定具の配設位置が不適切であったりすると、表示窓と前面パネルの裏面との間に隙間が生じ、表現したい形状が不鮮明になる可能性がある。【０００５】
本発明は、上記のような課題を解決するためになされたものであり、室内機の表示部の視認性を向上させることを目的とする。
【課題を解決するための手段】
【０００６】
本発明に係る空気調和機の室内機は、室内機の前面側に配設されている表示パネルと、点灯および消灯の制御が可能な発光デバイスを有し、前記表示パネルの裏面に対向して配設されている表示装置と、前記表示パネルの面上に形成され、所定の情報を報知するためのアイコンとを備え、前記アイコンは、光を透過させないインクで前記表示パネルの面上に印刷されている遮光層を有しており、前記発光デバイスの出射光を前記室内機の内方から照射することにより視認されるものである。
【発明の効果】
【０００７】
本発明に係る空気調和機の室内機によると、アイコンは表示パネルの面上に形成されている。従って、表示装置と表示パネルの間に隙間が生じても、アイコンの輪郭がぼやけることがなく、視認性が向上する。また、表示装置と表示パネルとの間に隙間が生じることを防止するための部材が不要となり、部品点数の増加を抑制することができる。
【図面の簡単な説明】
【０００８】
【図１】本発明の実施の形態１における空気調和機の室内機の斜視図である。
【図２】本発明の実施の形態１における室内機の表示部の断面図である。
【図３】本発明の実施の形態１における表示装置の正面図である。
【図４】本発明の実施の形態２における空気調和機の室内機の表示部の断面図である。
【図５】本発明の実施の形態３における空気調和機の室内機の表示部の断面図である。
【図６】本発明の実施の形態３における表示装置の正面図である。
【発明を実施するための形態】
【０００９】
以下に、本発明における空気調和機の室内機の実施の形態を図面に基づいて詳細に説明する。なお、以下に説明する実施の形態によって本発明が限定されるものではない。また、以下の図面においては各構成部材の大きさは実際の装置とは異なる場合がある。
【００１０】
実施の形態１．
図１は、本発明の実施の形態１における空気調和機の室内機の斜視図である。空気調和機の室内機１００は、意匠パネル１と、側面パネル２と、表示パネル３と、筐体４と、一対の上下風向フラップ６Ａ、６Ｂとを備えている。筐体４には、不図示の熱交換器、送風機等が搭載されている。筐体４の前面には意匠パネル１が配設され、側面には側面パネル２が配設され、底面には吹出口をカバーする一対の上下風向フラップ６Ａ、６Ｂが配設されている。また、意匠パネル１と一対の上下風向フラップ６Ａ、６Ｂとの間には表示パネル３が配設されている。意匠パネル１、側面パネル２、表示パネル３、および一対の上下風向フラップ６Ａ、６Ｂは樹脂を成型したものである。表示パネル３の右端部には表示部５が形成されている。表示部５には複数のアイコンが横方向に配置されている。これらのアイコンは、室内にいるユーザに所定の情報を報知するためのものである。図１では３つのアイコンが配置されているがこれに限るものではなく、必要に応じて４つ以上のアイコンを配置してもよい。
【００１１】
図２は、本発明の実施の形態１における室内機の表示部の断面図である。図２は、表示部５の左端のアイコンの位置で表示部５を縦方向に切断し、右側面から示した断面図である。アイコン６０は、表示パネル３の表面、すなわち室内側を向いている面上に光を透過しないインクを印刷することにより形成された遮光層６１を有しており、正面視で図２に示すような形状を呈している。
【００１２】
図３は、本発明の実施の形態１における表示装置の正面図である。図２および図３に示すように、表示装置７は、表示基板７１と、表示基板７１に搭載された発光デバイス７２と、表示基板７１を保持する表示基板保持部材７３とを有している。表示基板保持部材７３は、固定部７３１と拡散部７３２とを有している。表示基板保持部材７３は、室内機１００の内部に配設されているフレーム１０に、固定部７３１を介して固定されている。拡散部７３２は、室内機１００の内部に向かって次第に径が小さくなるようにテーパー状に形成されており、底面では矩形に開口し、表示パネル３側では円形に開口している。発光デバイス７２には、例えばＬＥＤ（Ｌｉｇｈｔ  Ｅｍｉｔｔｉｎｇ  Ｄｉｏｄｅ）が使用される。発光デバイス７２は、不図示のケーブルにより室内機１００の不図示の制御部に接続されており、点灯および消灯が制御される。発光デバイス７２は、正面視で拡散部７３２の底面の開口内に位置するよう配置されている。発光デバイス７２から出射された光は、拡散部７３２により拡散されて表示パネル３に照射される。図２に示すように、発光デバイス７２から出射され拡散された光が表示パネル３を照射する照射範囲７２Ａがアイコン６０の全体を含むように、拡散部７３２は構成されている。
【００１３】
上述のように、遮光層６１は、光を透過しないインクを印刷することにより形成されている。従って、発光デバイス７２を点灯し、室内機１００の内方から遮光層６１を照射すると、遮光層６１が形成されている領域は光が遮断され、遮光層６１以外の部分は光が透過し室内側に導かれる。その結果、アイコン６０が影として浮き出て、ユーザにより視認される。
【００１４】
本実施の形態１によれば、表示パネル３の表面に形成された遮光層６１を照射することにより、アイコン６０としてユーザに視認させることができる。従って、表示装置７と表示パネル３との間に隙間が生じたとしても、アイコン６０がぼやけることはなく、アイコン表示の視認性が向上する。また、表示装置７と表示パネル３との間に隙間が生じることを防止するための部材が不要であり、部品点数の増加を抑制することができる。
【００１５】
また、光を透過しないインクを印刷することでアイコン６０を形成するため、微細な形状を容易に表現することができる。換言すると、微細な形状を表現するための表示シートを設ける必要がなく、部品点数の増加を抑制することができる。
【００１６】
さらに、本実施の形態１において、遮光層６１を表示パネル３に彩色されている色と同色または同系色のインクで形成してもよい。表示パネル３と同色または同系色のインクを使用することにより、発光デバイス７２の消灯時、アイコン６０が表示パネル３に同化することになる。その結果、表示パネル３の意匠性が向上する。
【００１７】
遮光層６１は、表示パネル３の室内側を向いている面上に形成されているが、これに限るものではない。遮光層６１を、表示パネル３の裏面上、すなわち室内機１００の内部側に向く面の上に形成してもよい。
【００１８】
表示装置７の表示基板保持部材７３は、固定部７３１を介して室内機１００の内部のフレーム１０に固定されているが、これに限るものではない。表示装置７を表示パネル３の裏面に固定してもよい。
【００１９】
拡散部７３２は底面では矩形に開口し、表示パネル３側では円形に開口しているが、これに限るものではない。拡散部７３２は、発光デバイス７２から出射された光が拡散されて表示パネル３に導かれるよう構成されていれば、底面で円形に開口していてもよく、表示パネル３側で矩形に開口していてもよい。
【００２０】
また、拡散部７３２はテーパー状に形成されているが、これに限るものではなく、円柱状若しくは四角柱状に形成してもよい。その場合、底面および表示パネル３側の開口の大きさは、発光デバイス７２から出射された光が拡散されるよう設定される。
【００２１】
上述の説明では、表示部５の左端のアイコン６０を例にとって説明したが、表示部５の中央のアイコンおよび右端のアイコンについても、表示装置７と同様の表示装置が設けられている。
【００２２】
実施の形態２．
図４は、本発明の実施の形態２における空気調和機の室内機の表示部の断面図である。図４において、実施の形態１と同様の部材には図２と同一の符号が付されている。本実施の形態２において、アイコン６００は、遮光層６１１と着色層６１２とを有している。遮光層６１１は、実施の形態１の遮光層６１と同様、表示パネル３の表面、すなわち室内側を向いている面上に光を透過しないインクを印刷することにより形成されている。着色層６１２は、表示パネル３の彩色と同色又は同系色のインクを遮光層６１１上に重ねて印刷することにより形成されている。すなわち、着色層６１２は遮光層６１１よりも室内側に形成されている。遮光層６１１および着色層６１２は、正面視で遮光層６１１と同一および同大の形状を有しており、図４に示されるようにアイコン６００の形状を呈している。
【００２３】
本実施の形態２によれば、アイコン６００は上述の遮光層６１１と着色層６１２とで構成されている。従って、発光デバイス７２の点灯時は、アイコン６００が浮かび上がって表示されるので、視認性が向上し、発光デバイス７２の消灯時は、アイコン６００が表示パネル３に同化するので意匠性が向上する。
【００２４】
アイコン６００は、表示パネル３の表面、すなわち室内側を向いている面上に形成されているが、これに限るものではない。着色層６１２を表示パネル３の裏面上、すなわち室内機１００の内面側の裏面上、すなわち室内機１００の内部側に向く面の上に形成し、その上に遮光層６１１を形成してもよい。
【００２５】
実施の形態３．
図５は、本発明の実施の形態３における空気調和機の室内機の表示部の断面図である。図６は、本発明の実施の形態３における表示装置の正面図である。図５および図６において、実施の形態１と同様の部材には図２および図３と同一の符号が付されている。本実施の形態３において、表示パネル３には発光デバイス７２の光軸方向の厚さが他の領域に比べ薄い薄肉部３０が形成されている。遮光層６１は、薄肉部３０の室内側の表面に形成されている。図５に示されるように、薄肉部３０は、発光デバイス７２から出射され拡散された光が表示パネル３を照射する照射範囲７２Ａの全体を含むように、構成されている。
【００２６】
本実施の形態３によれば、遮光層６１は表示パネル３の薄肉部３０に形成されている。従って、表示パネル３が濃い色で彩色されたものであっても、発光デバイス７２の点灯時、発光デバイス７２の出射光は表示パネル３の色に影響されることがない。従って、所望の色を表示することができる。
【００２７】
本実施の形態３においても、遮光層６１を薄肉部３０の裏面上、すなわち室内機１００の内部側に向く面の上に形成してもよい。また、遮光層６１を表示パネル３に彩色されている色と同色または同系色のインクで形成してもよい。
【００２８】
実施の形態１〜３において、アイコンの属性に合わせて発光デバイスが出射する光の色を変えてもよい。例えば、ユーザの注意を喚起するようなアイコンに対して寒色系の色を出射する発光デバイスを配置し、省エネモード実行中を報知するアイコンに対しては暖色系の色を出射する発光デバイスを配置してもよい。また、リモコン等に発光デバイスの操作スイッチを設け、ユーザによる操作スイッチの操作に応じて、不図示の制御部が発光デバイスの出射光の色を可変とするよう構成してもよい。
【符号の説明】
【００２９】
１  意匠パネル、２  側面パネル、３  表示パネル、４  筐体、５  表示部、６Ａ  上下風向フラップ、６Ｂ  上下風向フラップ、７  表示装置、１０  フレーム、３０  薄肉部、６０  アイコン、６１  遮光層、７１  表示基板、７２  発光デバイス、７２Ａ  照射範囲、７３  表示基板保持部材、１００  室内機、６００  アイコン、６１１  遮光層、６１２  着色層、７３１  固定部、７３２  拡散部。
【図１】
2018016065.tif 000003
【図２】
2018016065.tif 000004
【図３】
2018016065.tif 000005
【図４】
2018016065.tif 000006
【図５】
2018016065.tif 000007
【図６】
2018016065.tif 000008
【国際調査報告】
2018016065.tif 000009
2018016065.tif 000010